(57)【要約】      （修正有）【課題】フィルムの端を探してケーキの周りを一周させて剥がし、別の紙に包んで処分する３工程を一連の動作で済むようにしたケーキのフィルムを提供する。【解決手段】ケーキ４の周囲に巻きつけるテープ状フィルム５と、フィルム５のテープ長さ方向の中央付近上部に設けられた目印部１と、目印部１の左右両脇に設けられた折り返し部２とによって構成される。フィルム上部中央目印により剥がし始める位置を探すのが容易で、フィルム上部中央目印を手で持つと、剥がれたフィルムはそれ自体の重さにより内側同士が重なり合い、処分が容易になる。また、折り返し部により目印を持ち手前に引くと、折り返し部が徐々に広がりケーキとフィルムの間に折り返し分の隙間ができ、フィルムをそのままケーキ本体の方向へ斜めに持ち上げてもクリーム部分に触れることなく剥がせる。【選択図】図１
2007210659.tif 000002
【特許請求の範囲】
【請求項１】
ケーキの周囲に巻きつけるテープ状フィルムと、該フィルムのテープ長さ方向の中央付近上部に設けられた目印部と、該目印部の左右両脇に設けられた折り返し部とによって構成されていることを特徴としたケーキ包装フィルム。
【請求項２】
上記の目印部は、フィルム上縁より突出する突起により構成されていることを特徴とする請求項１記載のケーキ包装フィルム。
【請求項３】
上記の目印部は、フィルム表面に付着された摘み部により構成されていることを特徴とする請求項１記載のケーキ包装フィルム。
【請求項４】
上記の目印部は、フィルム上縁より形成された切れ込み部により構成されていることを特徴とする請求項１記載のケーキ包装フィルム。
【請求項５】
上記の目印部は、フィルム面に印刷された表示により構成されていることを特徴とする請求項１記載のケーキ包装フィルム。
【請求項６】
上記の折り返し部は、ケーキに接触する側とは反対側に折り返されるように構成されていることを特徴とする請求項１記載のケーキ包装フィルム。
【請求項７】
上記の折り返し部は、折り返し幅がフィルムの上縁から下縁に向かって拡大するように構成されていることを特徴とする請求項１記載のケーキ包装フィルム。
【請求項８】
上記の折り返し部は、折り返し幅がフィルムの上縁から下縁まで均一となるように構成されていることを特徴とする請求項１記載のケーキ包装フィルム。
【請求項９】
上記のフィルムには、その上縁から下縁まで、上記の目印中央付近を通り、ケーキと接触する側とは反対側に突出するように形成された山折部がさらに設けられていることを特徴とする請求項１記載のケーキ包装フィルム。
【発明の詳細な説明】
【技術分野】
【０００１】
本発明は、ケーキの品質劣化防止、型崩れ防止、衛生の確保および容易な運搬に不可欠な、ケーキの周囲に巻きつけて使用するテープ状フィルムに関するものである。
【背景技術】
【０００２】
従来のケーキのフィルムは、一枚のフィルムをケーキの周りに巻きつけてある。これを取り除くためには、まずフィルムの端を探す手間、次にそこを持ちケーキの周りを一周して剥がす手間、最後にそのフィルムは、内側にクリームが付いているため、両端から重ね合わせるか、別の紙に包んで処分する手間というように、常に以上の３工程の手間を掛けなければならない。
【０００３】
この改善策として特許文献１のように、ケーキに巻きつけてあるフィルムの端を見つけるために、端に摘みを付ける事により開封部を目立つようにし、そこを持って剥がし易くする方法があるが、この理由だけで摘みを付けることは、コストが嵩む欠点がある。さらにケーキの周りを一周して剥がし、そのフィルムは内側にクリームが付着しているので、両端から重ね合わせるか、別の紙に包んで処分しなければならない欠点がある。
【特許文献１】実開昭５８−１４３３７４
【０００４】
また特許文献２のように、ケーキに巻きつけてあるフィルム中央に、垂直に線状の溶着シールを付けることにより開封部を目立つようにし、さらにそこを持って左右に両手で剥がし易いようにする方法があるが、溶着シールの舌片部を両手にて左右に剥がす仕組みになっており、両手を使わなければならず、例えば片手にケーキを乗せている場合は剥がすことができない。さらに剥がした後のフィルムを１枚にするには、一部を溶着しておかなければならない。また、同考案の別事例では溶着を要しないが、剥がした後のフィルムは２枚になる等の欠点がある。
【特許文献２】実開平６−８０６６６
【０００５】
また特許文献３のように、ケーキにフィルムを巻きつけて使用しているものを、ケーキ全体を包む袋状にする方法があるが、ケーキ全体を包み込むことで、保湿性、衛生状には優れるが、開ける場合は、袋を壊すか引っ張り出さなければならず不便であり、多量のクリームが付着する可能性が高い。また、開ける場合、何かの上に置いて開けなければならず、片手に持ったまま開けることは困難である。さらに、ケーキは一般的にショウケースより取り出され、そのまま消費者の手に渡り、短時間のうちに消費されるものである。従って、従来のケーキに巻きつける方法でも、保湿性、衛生面において対応できるもので、過剰包装の観があり、コストが嵩む欠点もある。
【特許文献３】特開平１０−３３８２３８
【０００６】
また特許文献４のように、ケーキ包装フィルムの端に袋状にした部分を設け、そこにフォークの先端を入れて、フィルムを巻きとる方法があるが、フォーク等の道具を用いなければならず、それら道具がないとき不便である。さらに、巻き取るのに時間がかかる欠点もある。
【特許文献４】実登第３１１２１６３
【発明の開示】
【発明が解決しようとする課題】
【０００７】
解決しようとする問題点は、１つ目はケーキのフィルムの端を探さなければならないこと。２つ目は一度に剥がすと、多くのクリームがフィルムに付着するのでケーキの周りを一周させてはがさなければならないこと。３つ目は剥がしたフィルムは、内側にクリームが付着しているので、両端から重ね合わせるか、別の紙に包んで処分しなければならないことである。
【０００８】
本発明は、上記問題点を全て解決するとともに、従来３工程かかっていた作業を、片手で簡単に済ませることができるようにしたケーキ包装フィルムを提供することである。
【課題を解決するための手段】
【０００９】
ケーキの周囲に巻きつけるテープ状フィルムにおいて請求項１のように、フィルム上部のテープの長さ方向中央付近の上部に設けられた目印部と、該目印部の左右両脇に設けられた折り返し部によって構成されていることを特徴とする。
【００１０】
また、請求項１にある目印部は、請求項２のようにフィルム上縁より突出する突起により、構成されていることを特徴とする。
【００１１】
また、請求項１にある目印部は、請求項３のようにフィルム表面付着された摘み部により構成されていることを特徴とする。
【００１２】
また、請求項１にある目印部は、請求項４のようにフィルム上縁より形成された切れ込み部より構成されていることを特徴とする。
【００１３】
また、請求項１にある目印は、請求項５のようにフィルム面に印刷された表示により構成されていることを特徴とする。
【００１４】
また、請求項１にある折り返し部は、請求項６のようにケーキに接触する側とは反対側に折り返されるように構成されていることを特徴とする。
【００１５】
また、請求項１にある折り返し部は、請求項７のように折り返し幅がフィルムの上縁から下縁に向かって拡大するように構成されていることを特徴とする。
【００１６】
また、請求項１にある折り返し部は、請求項８のように折り返し幅が、フィルムの上縁から下縁まで均一となるように構成されていることを特徴とする。
【００１７】
また、請求項１にあるフィルムには、請求項９のようにその上縁から下縁まで上記の目印中央付近を通り、ケーキと接触する側とは反対側に突出するように、形成された山折部がさらに設けられていることを特徴とする。
【発明の効果】
【００１８】
ケーキの周囲に巻きつけるテープ状フィルムにおいて、フィルムのテープ長さ方向中央付近の上部に目印を付けることで、剥がし始める位置を探すことが容易である。さらにフィルム上部中央付近の目印を手で持つと、剥がし終えたフィルムはそれ自体の重さにより内側同士が重なり合うため処分が容易になる。また、折り返し部があることで、目印を持ち手前に引くと、折り返し部が徐々に広がりケーキ側面とフィルムはほぼ直角に剥がれクリームが付きにくくなる。そしてケーキとフィルムの間に折り返しの分だけ隙間ができるので、フィルムをそのままケーキ本体の方向へ斜めに持ち上げても、クリーム部分に触れることなく剥がすことが可能になる。
【００１９】
請求項２のように目印部は、フィルム上縁より突出する突起により構成されているため、摘み部を目立たせるとともに持ち易くする効果がある。また、摘む位置を見ることなく、触るだけで分かるようにする効果もある。
【００２０】
請求項３のように目印部は、フィルム表面に付着された摘み部により構成されているため、摘み部を目立たせるとともに持ち易くする効果がある。また、摘む位置を見ることなく、触るだけで分かるようにする効果もある。
【００２１】
請求項４のように目印部は、フィルム上縁より形成された切れ込み部により構成されているため、摘み部を目立たせるとともに持ち易くする効果がある。また、フィルムのカッティング成形において、一枚の大判のフィルムから該フィルムをより多く取得することが可能になり、製造コストをより抑える効果もある。さらに、摘む位置を見ることなく、触るだけで分かるようにする効果もある。
【００２２】
請求項５のように目印部は、フィルム面に印刷された表示により構成されているため、摘み部をより目立たせる効果がある。
【００２３】
請求項６のように折り返し部は、ケーキに接触する側とは反対側に折り返されるように構成されているため、よりフィルムを剥がし易くなる効果がある。
【００２４】
請求項７のように折り返し部は、折り返し幅がフィルムの上縁から下縁に向かって拡大するように構成されているため、フィルムの目印部を持って持ち上げても、下辺の隙間に余裕ができ、ケーキのクリームもフィルムにより付きにくく剥がせる効果がある。
【００２５】
請求項８のように折り返し部は、折り返し幅が上縁から下縁まで均一となるように構成されているため、フィルムを開いた形状が長方形となり、製造コストをより抑える効果がある。さらに、ロールフィルムを使用したケーキへの自動フィルム巻き付け機にも対応させることができる効果もある。
【００２６】
請求項９のように、フィルムの上縁から下縁まで、目印中央付近を通り、ケーキと接触する側とは反対側に突出するように形成された山折部が設けられているため、ケーキから剥がし終えたフィルムは、折目に沿ってフィルム自体の重さによりフィルムの内側同士が合わさり、剥がした後のフィルムの処分を容易にする効果がある。
【発明を実施するための最良の形態】
【００２７】
以下に本発明にかかるケーキ包装フィルムの具体的実施形態例について、図面に基づき詳細に説明する。
【実施例】
【００２８】
図１（ａ）は本発明のケーキ包装フィルムの全体を示す図である。ケーキ４の周囲にテープ状のフィルム５が巻きつけてある。このテープ状フィルム５には、目印１と折り返し部２が設けられている。
【００２９】
目印１については図２（ａ）のように、テープ状フィルム５のテープの長さ方向中央付近の上部より突出する三角形の突起より構成されている。
【００３０】
折り返し部２については、図３（ａ）のように、折り返し幅がフィルムの上縁から下縁に向かって拡大するように、ケーキに接触する側とは反対側に折り返されるように設ける。
【００３１】
山折部３については、図１（ａ）のように、そのフィルムの上縁から下縁まで、目印１の中央付近を通り、ケーキと接触する側とは反対側に突出するように設ける。
【００３２】
該フィルム５の寸法は、幅はケーキの高さよりも適度に高いものとし、長さはケーキの扇形の要部にフィルムの合わせ目が来るようにケーキに巻き付ける。
【００３３】
ケーキ製造者は、以上のように構成された本発明のケーキ包装フィルムを、図１（ａ）のようにホールケーキより切り出した、扇形のケーキのクリームが施されている側面に該フィルム主要部分（目印１と折り返し部２）が来るように巻きつける。この場合、該フィルムはケーキのクリームに粘着し、ケーキに巻きつけられた状態を保持する。目印１と山折部３はケーキのクリームが施されている側面に接触し、クリームに粘着するので、この部分もケーキに巻きつけられた状態が保持される。
【００３４】
ケーキの消費者は図１（ｂ）のように先ず、目印１を山折部３に沿って左右から目印を摘み、手前に引く。このときケーキ側面のクリームに粘着しているのは目印１と山折部３の部分のみであり、他の部分は折り返し部２においてフィルム同士が重なってだけで接着
されていないのでフィルム５をケーキ４から容易に剥がすことができる。そして、ケーキ４とフィルム５はほぼ直角に剥がされるので、フィルム５にクリームが付きにくく剥がせる。
【００３５】
次に、そのままケーキ本体の方向へ斜めにフィルム５を持ち上げると、折り返し部２によって、フィルムの下辺にさらに隙間ができ、フィルム５を斜めに持ち上げた際に、フィルム５にクリームが付きにくく剥がせる。これにより従来のケーキの周りを一周させてフィルムを剥がす方法よりも簡単にフィルムを剥がすことができる。
【００３６】
次に、図１（ｃ）のように剥がしたフィルムは、山折部３よりフィルムが重なり、クリームが付いた内側同士が合わさることになる。これにより、従来のようにあらためて両端から重ね合わせるか、別の紙に包んで処分しなければならない手間が省け、そのまま捨てることができる。
【変形例】
【００３７】
実施例にある目印１の変形例として、実施例においてはフィルム上部に三角形の突起を配したが、コスト的に有利な面から図２（ｂ）のようにフィルム表面に別のフィルムなどからなる摘み部６を接着剤が付着している接着部７で貼り付ける方法や、図２（ｃ）のようにＷ形の切れ込みを用いる方法、さらに図２（ｄ）のようにフィルムに三角形等の印刷を行い摘み部を表示する方法もある。しかし、突起、切れ込みおよび印刷による表示の形状は、図に示した形状に限定されるものではない。図２（ａ）、（ｂ）、（ｃ）の場合には，フィルム５の上縁に突起部等が形成されるため、指での接触などによってこの目印１を容易に識別でき、便利である。図２（ｃ）のようにＷ形の切れ込みを形成する場合には、テープ状フィルム５に無駄がなくなり、製造コストの面で有利である。また、製造工程や製造数量によっては、図２（ｄ）のような印刷や図２（ｂ）のような貼り付けによる場合の方が低コスト化可能である。
【００３８】
実施例にある折り返し部２の変形例として、実施例においては折り返し部２の折り返し幅が上辺よりも下辺が幅広の形状であるが、コストを抑える観点から図３（ｂ）のように、上辺と下辺を同じ長さにする方法が考えられる。図３（ｂ）のようにすれば、フィルム５を展開したときの形状が長方形となり、製造コストをより抑える効果がある。さらに、ロールフィルムを使用したケーキへの自動フィルム巻き付け機にも対応させることができる効果もある。また、実施例においては折り返し部２がケーキ４に接触する側とは反対側に折り返してあるが、図４（ｂ）のようにそれとは反対側に折り返す方法もある。この図４に示した各折り返しの断面図は、上方がケーキと接する側となる。図４（ａ）のようにケーキ４に接触する側とは反対側に折り返すと、目印１を手前に引く関係でより剥がし易くなるが、図４（ｂ）のように折り返しても大差ない場合もある。さらに、実施例においては、折り返し部２を山折部３の左右両脇に２個形成したが、図４（ｃ）（ｄ）のように、その形状や折り返しの個数に限定されるものではない。折り返し個数が少なければ製造コストを低下させることができる。山折部３が実施例のように設けられている場合には、目印１を手前に引いたときに図１（ｃ）のようにフィルム５の両脇同士が内側に付着し易いが、フィルム５が柔軟である場合には山折部３がなくても同様にフィルム５の両脇同士が内側に重なる。
【００３９】
図５（ａ）（ｂ）は、実施例で述べた扇形のケーキの他、長方形、円形に対応した適用例である。これらの形に対応した場合でも本発明の効果は変わらない。
【産業上の利用可能性】
【００４０】
本発明により、ケーキ製造者は、従来のフィルムを巻き付けた場合と変わりない作業で、従来の保湿効果、衛生面、見た目の美しさ、運搬のし易さを損なわず、消費者に簡単にケーキのフィルムの処理ができるという付加価値を付けることができる。
【００４１】
また、ケーキ消費者は、今まで煩わしかったケーキのフィルムの処理作業が簡便になり、他のケーキよりも同ケーキへの購買意欲が増す。
【図面の簡単な説明】
【００４２】
【図１】本発明実施例のケーキ包装フィルムの全体と使用過程を示す斜視図。
【図２】本発明実施例および変形例のケーキ包装フィルムの目印部のみを部分的に示す平面図。
【図３】本発明実施例および変形例のケーキ包装フィルムの折り返し部のみを部分的に示す斜視図。
【図４】本発明実施例および変形例のケーキ包装フィルムの折り返し部のみを部分的に示すフィルムのテープ長さ方向の断面図。
【図５】本発明実施例のケーキの形状による包装フィルムの使用例を示す斜視図。
【符号の説明】
【００４３】
１  目印部
２  折り返し部
３  山折部
４  ケーキ
５  フィルム
６  摘み部
７  摘みの接着部
【図１】
2007210659.tif 000003
【図２】
2007210659.tif 000004
【図３】
2007210659.tif 000005
【図４】
2007210659.tif 000006
【図５】
2007210659.tif 000007